(57)【要約】    【課題】遊技図柄表示手段の前側でのハーネス等の電気配線の垂れ下がりを簡単な構造で容易且つ確実に防止できると共に、前面パネルの開閉時の取り扱いを容易にできるようにする。    【解決手段】遊技図柄を変動表示可能な遊技図柄表示手段４を筐体２に備え、筐体２の前側に開閉自在に装着された前面パネル３に、遊技図柄表示手段４の表示を透視可能な表示窓２０を備え、前面パネル３の裏側で表示窓２０の上側にハーネス、ケーブル等の電気配線５０，５２を設け、遊技図柄表示手段４の図柄表示部１１の前上側に、図柄表示部１１の前側への電気配線５０，５２の垂れ下がりを防止する垂れ下がり防止部材７０を配置する。【選択図】    図４
2010094527.tif 000002
【特許請求の範囲】
【請求項１】
遊技図柄を変動表示可能な遊技図柄表示手段を筐体に備え、前記筐体の前側に開閉自在に装着された前面パネルに、前記遊技図柄表示手段の表示を透視可能な表示窓を備え、前記前面パネルの裏側で前記表示窓の上側にハーネス、ケーブル等の電気配線を設けた遊技機において、前記遊技図柄表示手段の図柄表示部の前上側に、該図柄表示部の前側への前記電気配線の垂れ下がりを防止する垂れ下がり防止部材を配置したことを特徴とする遊技機。
【請求項２】
前記垂れ下がり防止部材は、前記前面パネルを閉じるときに前記電気配線の垂れ下がり部分を後側から前側へと相対的に押し込む押し込み部と、押し込み後の前記電気配線を下側から受ける受け部とを有することを特徴とする請求項１に記載の遊技機。
【請求項３】
前記垂れ下がり防止部材は、前記表示窓側から見難い位置にあることを特徴とする請求項１又は２に記載の遊技機。
【請求項４】
前記垂れ下がり防止部材は、複数個の図柄表示部を構成する各回転リールの上側に近接して左右方向に配置され且つ前下りに傾斜する傾斜部と、該傾斜部の前端から前側に突出して前記前面パネルを閉じたときに前記上枠部の後端部に近接する突出部とを備えたことを特徴とする請求項１〜３の何れかに記載の遊技機。
【請求項５】
前記遊技図柄表示手段は支持ケース内に回転リールと該回転リールを支持する固定板とを左右方向に複数個配置して成り、前記垂れ下がり防止部材は前記各固定板の前側に係脱自在に固定したことを特徴とする請求項１〜４の何れかに記載の遊技機。
【発明の詳細な説明】
【技術分野】
【０００１】
本発明は、スロットマシン等の遊技機、取り分けそのハーネス等の電気配線の回転表示手段の前側への垂れ下がりを防止するようにしたものである。
【背景技術】
【０００２】
スロットマシン等の遊技機では、筐体内に中間棚を介して回転表示手段を配置し、筐体の前側に開閉自在に装着された前面パネルに、回転表示手段の表示を透視可能な表示窓を備えている。回転表示手段は、支持ケース内に横軸廻りに回転自在に配置され且つ外周面に複数種類の遊技図柄が表示された回転リールを左右方向に複数個、例えば３個備えている。前面パネルには表示窓の上側に発光装飾手段、液晶表示手段等を配置し、この発光装飾手段の発光、液晶表示手段の画像等により、その時点の遊技状態を演出するようにしている（特許文献１）。
【先行技術文献】
【特許文献】
【０００３】
【特許文献１】特開２００３−２２５３５３号公報
【発明の概要】
【発明が解決しようとする課題】
【０００４】
表示窓の上側に発光装飾手段、液晶表示手段等を配置する場合、ハーネス、ケーブル等の電気配線を介して、その発光装飾手段、液晶表示手段等と制御基板とを電気的に接続するが、そのハーネス等の電気配線は、通常コネクタを容易に着脱できるように長さに十分な余裕を持たせている。
【０００５】
このため発光装飾手段等を表示窓の上側近傍に配置した場合には、ハーネス等の電気配線が表示窓の後側に垂れ下がり、表示窓を介して回転リール側を透視したときに、回転リールの前上部側にハーネスの垂れ下がり部分が露出する惧れがある。
【０００６】
このため前面パネルを閉じる際には、回転リールの前側にハーネスが垂れ下がらないように、その都度、注意を払いながら慎重に行う必要がある。またハーネスの垂れ下がり部分が回転表示手段側に引っ掛かって、前面パネルを開放したときにハーネスが切断したり、回転表示手段側の引っ掛かり部分が折損する惧れもある。従って、従来は前面パネルの開閉時の取り扱いが煩雑化するという問題がある。
【０００７】
本発明は、このような従来の問題点に鑑み、遊技図柄表示手段の前側でのハーネス等の電気配線の垂れ下がりを簡単な構造で容易且つ確実に防止できると共に、前面パネルの開閉時の取り扱いを容易にできる遊技機を提供することを目的とする。
【課題を解決するための手段】
【０００８】
本発明は、遊技図柄を変動表示可能な遊技図柄表示手段を筐体に備え、前記筐体の前側に開閉自在に装着された前面パネルに、前記遊技図柄表示手段の表示を透視可能な表示窓を備え、前記前面パネルの裏側で前記表示窓の上側にハーネス、ケーブル等の電気配線を設けた遊技機において、前記遊技図柄表示手段の図柄表示部の前上側に、該図柄表示部の前側への前記電気配線の垂れ下がりを防止する垂れ下がり防止部材を配置したものである。
【発明の効果】
【０００９】
本発明では、遊技図柄表示手段の前側でのハーネス等の電気配線の垂れ下がりを簡単な構造で容易且つ確実に防止できると共に、前面パネルの開閉時の取り扱いを容易にできる利点がある。
【図面の簡単な説明】
【００１０】
【図１】本発明の第１実施例を示すスロットマシンの全体斜視図である。
【図２】本発明の第１実施例を示す筐体側の正面図である。
【図３】本発明の第１実施例を示す前面パネルの上部側の正面図である。
【図４】本発明の第１実施例を示す回転表示手段の斜視図である。
【図５】本発明の第１実施例を示す要部の拡大断面図である。
【図６】本発明の第２実施例を示す要部の拡大断面図である。
【図７】本発明の第２実施例を示す作用説明図である。
【図８】本発明の第３実施例を示す要部の拡大断面図である。
【図９】本発明の第４実施例を示す要部の拡大断面図である。
【図１０】本発明の第５実施例を示す要部の拡大断面図である。
【発明を実施するための形態】
【００１１】
以下、本発明の実施形態を図面に基づいて詳述する。図１〜図５は本発明をスロットマシンとして具現化した第１の実施例を例示している。図１〜図３において、１は遊技機本体であり、前側が開放する矩形箱状の筐体２と、この筐体２の前側に配置され且つ左右一側の上下一対のヒンジ（図示省略）を介して開閉自在に装着された矩形状の前面パネル３とを備えている。
【００１２】
筐体２内には、図２に示すように、上下方向の中間に回転表示手段４が設けられ、この回転表示手段４の上側に主制御基板５を収容する主制御基板ケース６が設けられ、また下側にメダル払い出し装置７、メダル補助ケース８、電源基板ケース９が夫々設けられている。
【００１３】
回転表示手段４は遊技図柄表示手段を構成するためのもので、図４に示すように前側が開放する左右方向に長い矩形状の支持ケース１０と、この支持ケース１０内に横軸廻りに回転自在に配置され且つ外周面に複数種類の遊技図柄が表示された左右方向に３個の回転リール１１と、各回転リール１１を横軸廻りに個別に回転駆動する駆動モータ１２とを備え、筐体２の中間棚１３上に着脱自在に装着されている。なお、回転リール１１により、複数種類の遊技図柄を変動表示可能な図柄表示部が構成されている。
【００１４】
メダル払い出し装置７は、払い出し用のメダルを貯留するメダルホッパー１４と、メダルホッパー１４内のメダルを払い出すメダル払い出し手段１５と、メダルホッパー１４から溢れたメダルをメダル補助ケース８側に排出する余剰メダル排出口１６等を備え、筐体２の底板１７上に着脱自在に装着されている。
【００１５】
前面パネル３は骨格体を構成するパネル体１８を備えている。前面パネル３の上部側には、図１、図３に示すように、矩形状の第１表示窓１９と第２表示窓２０とが上下に設けられると共に、その左右両側等の所定位置に、遊技状態を発光により視覚的に演出し装飾する第１〜第４発光装飾手段２１〜２４と、遊技状態を放音により聴覚的に演出する上スピーカ２５とが配置されている。
【００１６】
前面パネル３の上下方向の中間部には、その上部に上操作パネル部２６、前操作パネル部２７が配置されている。また前面パネル３の下部にはメダル排出口２８、メダル受け皿２９、灰皿３０、下スピーカ３１等が配置されている。
【００１７】
第１表示窓１９は前面パネル３を閉じたときに、パネル体１８の裏側に装着された液晶表示手段３２の前側に対応しており、遊技者はこの第１表示窓１９を介して液晶表示手段３２に表示される各種の遊技画像を前側から視認可能である。液晶表示手段３２の裏側に、演出制御基板３３を収納する演出制御基板ケース３４等が装着されている。
【００１８】
第２表示窓２０は、図５に示すようにパネル体１８の開口３５に対応してその裏側に装着された矩形状の窓枠体３６と、この窓枠体３６の前端側に装着された窓板３７とを備え、前面パネル３を閉じたときに回転表示手段４の前側に対応しており、遊技者はこの第２表示窓２０を介して回転表示手段４の各回転リール１１を前側から視認可能である。なお、第２表示窓２０は、回転表示手段４の各回転リール１１に表示された上下方向（周方向）の３駒分の図柄を視認できる程度の大きさになっている。
【００１９】
上操作パネル部２６には、その左右方向の一端側に１ベットボタン３８、マックスベットボタン３９、キャンセルボタン４０が設けられ、他端側に遊技媒体としてのメダルを投入可能なメダル投入口４１が設けられている。前操作パネル部２７には、回転リール１１の回転を開始させるためのスタートレバー４２、回転中の回転リール１１を夫々個別に停止させるためのストップボタン４３、メダル投入口４１内に詰まったメダルを返却させるための返却ボタン４４等が設けられている。
【００２０】
前面パネル３の下部の裏側には、メダル投入口４１から投入されたメダルの真偽を選別するメダル選別手段４５、メダル選別手段４５を通貨した真正のメダルをメダルホッパー１４へと案内するメダルシュート４６、メダル選別手段４５で排除された偽メダル及びメダル払い出し手段１５から払い出されたメダルをメダル受け皿２９へと案内するメダル案内通路４７等が設けられ、そのメダル案内通路４７の下部側の左右両側に下スピーカ３１が配置されている。
【００２１】
各発光装飾手段２１〜２４はその発光により遊技状態を視覚的に演出するものであり、その第１発光装飾手段２１は第１表示窓１９の左右両側に、第２発光装飾手段２２は第２表示窓２０の左右両側に夫々上下方向に配置されている。第３発光装飾手段２３は上下の第１表示窓１９と第２表示窓２０との間で左右方向に配置され、第４発光装飾手段２４は第３発光装飾手段２３の左右両側で第１発光装飾手段２１と第２発光装飾手段２２との間に左右方向に配置されている。
【００２２】
例えば、発光装飾手段２３，２４は、図５に第３発光装飾手段２３側を例示するように、前面側に配置された装飾レンズ２３ａ，２４ａと、この装飾レンズ２３ａ，２４ａの裏側に配置された発光ランプ２３ｂ，２４ｂとを有する。発光ランプ２３ｂ，２４ｂは基板２３ｃに装着されている。第３発光装飾手段２３はその基板２３ｃの後部側の左右にコネクタ４８，４９を有し、そのコネクタ４８がハーネス５０を介して演出制御基板ケース３４内の演出制御基板３３のコネクタ５１に接続され、また左右両側のコネクタ４９はハーネス５２を介して第４発光装飾手段２４のコネクタ５３に接続されている。なお、ハーネス５０，５２はコネクタ４８，４９，５１，５３等の着脱が容易となるように十分な余裕を持っている。
【００２３】
第２表示窓２０は上下、左右の複数個の取り付け片５４を介してパネル体１８の裏側にネジ等の固定手段で着脱自在に固定されている。そして、窓枠体３６は上下に左右方向に略平行に配置された板状の上枠部５５及び下枠部５６と、その左右両側に上下方向に略平行に配置された板状の側枠部５７とを有し、その側枠部５７の後端縁は前面パネル３を閉じたときに回転表示手段４の回転リール１１の前側に近接するように円弧状に形成されている。なお、窓板３７には開口３５の内周近傍から外側に不透明部３７ａが設けられている。
【００２４】
各回転リール１１は支持ケース１０内でその一側に配置された固定板５８に駆動モータ１２等を介して回転自在に支持されており、その前側部分が支持ケース１０、固定板５８よりも前側に突出している。各回転リール１１の左右両側には、左右の各回転リール１１間、及び両側の回転リール１１と支持ケース１０の側板部５９との間の隙間を塞ぐ円弧状の隙間カバー６０が、各回転リール１１の前側部分の内周に沿って配置されている。そして、各隙間カバー６０は固定板５８のある箇所では固定板５８に、固定板５８のない箇所では支持ケース１０の側板部５９に夫々固定されている。各固定板５８はその上下両側が支持ケース１０に固定されている。
【００２５】
回転表示手段４の支持ケース１０は中間棚１３上に載置され、下部側の固定具６１により中間棚１３に着脱自在に固定されている。支持ケース１０の天板部６２には、その中央部に把手部６３が設けられ、また把手部６３の後部両側に２個の中継基板６４，６５が設けられている。把手部６３は天板部６２から上側に突出しており、その後側には天板部６２との間に開放部６３ａが形成されている。
【００２６】
このように天板部６２の前部側に、上側へと突出する把手部６３を形成することにより、垂れ下がり防止カバー７４が支持ケース１０の前側にあるにも拘わらず、その縦壁部７１の上側に指を挿入する空間を確保でき、回転表示手段４の着脱時に把手部６３に前から指を掛けて把持することができる。なお、後側の開放部６３ａから指を挿入して把手部６３を把持してもよい。
【００２７】
中継基板６４はフラットケーブル等を介して主制御基板５に接続されると共に、ハーネス６６等を介して各回転リール１１の駆動モータ１２側の制御系に接続されている。中継基板６５は演出制御基板３３等に接続されると共に、ハーネス６７等を介して各回転リール１１内の照明手段等に接続されている。ハーネス６６，６７は固定板５８の前側上端部でコネクタ（図示省略）に接続され、またそのコネクタと中継基板６４，６５との間で押え部６８，６９により移動しないように固定されている。
【００２８】
回転表示手段４の前上側、取り分け回転リール１１の前上側には、図４及び図５に示すように、回転リール１１の前側へのハーネス５０，５２の垂れ下がりを防止する垂れ下がり防止部材７０が着脱自在に配置されている。垂れ下がり防止部材７０は、回転表示手段４の前上側において、各回転リール１１に跨がって支持ケース１０の左右の側板部５９間に左右方向に設けられている。
【００２９】
この垂れ下がり防止部材７０は、支持ケース１０の天板部６２の前側に配置され且つ天板部６２と回転リール１１との隙間を前側から塞ぐ左右方向の縦壁部７１と、この縦壁部７１の下端から回転リール１１に近接して前下側へと傾斜又は湾曲する左右方向の傾斜部７２と、この傾斜部７２の前端から前側に突出し且つ前面パネル３を閉じたときに第２表示窓２０の上枠部５５の後端部の上側に近接して上下に重合する左右方向の突出部７３とを備えた垂れ下がり防止カバー７４により構成され、支持ケース１０の前側で各回転リール１１を上側から覆うように左右方向に配置されている。
【００３０】
そして、垂れ下がり防止カバー７４は、ハーネス５０，５２に第２表示窓２０の上枠部５５の後側から下方に垂れ下がる垂れ下がり部分があっても、前面パネル３を閉じたときに、図５に示すようにハーネス５０，５２の下側への垂れ下がり部分を受けて上側へと押し上げるか、又は第３発光装飾手段２３と垂れ下がり防止カバー７４側の縦壁部７１、傾斜部７２等との間で挟んで、回転表示手段４の前側、特に回転リール１１の前側へのハーネス５０，５２の垂れ下がりを防止するようになっている。
【００３１】
なお、突出部７３により、前面パネル３を閉じるときにハーネス５０，５２の垂れ下がり部分を後側から前側へと相対的に押し込む押し込み部が構成され、また傾斜部７２と突出部７３とにより、ハーネス５０，５２の下側への垂れ下がり部分を下側から受けて押し上げる受け部が構成されている。
【００３２】
垂れ下がり防止カバー７４は、支持ケース１０側の取り付け部７５に着脱自在に固定されている。取り付け部７５は隙間カバー６０の上端から上方に一体に起立すると共に、前側に一体に設けられた係合爪７７を備えている。そして、垂れ下がり防止カバー７４は、取り付け部７５の前側に縦壁部７１が当接するように、縦壁部７１と傾斜部７２とに跨がって形成された係止孔７８に係合爪７７が係脱自在に係合されている。
【００３３】
縦壁部７１は、左右両端側に後側へと屈曲する屈曲部７１ａを有しており、その屈曲部７１ａが支持ケース１０の各側板部５９の上部前壁にネジ７６等により着脱自在に固定されている。
【００３４】
垂れ下がり防止カバー７４の左右両端には、第２表示窓２０の左右の側枠部５７の内側近傍で下側に屈曲するリブ７９を備え、そのリブ７９の前端下部は支持ケース１０の側板部５９の前端上部側の傾斜部５９ａに当接している。
【００３５】
垂れ下がり防止カバー７４は、その突出部７３と左右両側のリブ７９とにより、左右方向に長い正面視門型状になっており、前面パネル３を閉じたときに、この垂れ下がり防止カバー７４の下側に窓枠体３６の後部側が入るようになっている。
【００３６】
このように構成すれば、回転表示手段４が筐体２側にあり、この筐体２に対して前面パネル３を開閉する構造であるにも拘わらず、前面パネル３側のハーネス５０，５２が回転表示手段４の前上側に垂れ下がるようなこともなくなり、前面パネル３を容易に開閉できる。
【００３７】
即ち、前面パネル３の裏側のハーネス５０，５２等は、コネクタ４８，４９，５１，５３の着脱時の作業性を考慮して十分な長さを有し、その下側の第２表示窓２０の後側へと垂れ下がり易い。しかし、回転表示手段４側に垂れ下がり防止カバー７４を設けることにより、前面パネル３を閉じて行く過程において、その傾斜部７２等でハーネス５０，５２の垂れ下がり部分を上枠部５５よりも上側へと押し上げるか、又は第３発光装飾手段２３と縦壁部７１との間で挟持することができる。
【００３８】
またハーネス５０，５２の垂れ下がり量が大きい場合には、第２表示窓２０の上枠部５５の後部が垂れ下がり防止カバー７４の突出部７３内に相対的に進入するときに、ハーネス５０，５２の上枠部５５から下側へと垂れ下がっている部分を、突出部７３、傾斜部７２等で第３発光装飾手段２３の下面に沿って前側へと折り曲げながら、垂れ下がり防止カバー７４と第３発光装飾手段２３との間で挟み込むことができる。
【００３９】
従って、回転表示手段４の前側、特に回転リール１１の前側でのハーネス５０，５２の垂れ下がりを防止できる。しかも、前面パネル３の開閉時にハーネス５０，５２に対する格別の配慮が不要であり、前面パネル３を容易に開閉できる。
【００４０】
また傾斜部７２、突出部７３等を有する垂れ下がり防止カバー７４を回転リール１１の前上側に配置するだけでよいので、構造的にも簡単であり、容易且つ安価に実施できる。更に垂れ下がり防止カバー７４の中間部分が各固定板５８の前側に取り付け部７５を介して固定されているため、垂れ下がり防止カバー７４自体の強度も十分確保できる。
【００４１】
前面パネル３の閉状態では、垂れ下がり防止カバー７４でハーネス５０，５２を押し上げるか、又は第３発光装飾手段２３の下側に沿ってハーネス５０，５２を前側へと折り曲げているので、ハーネス５０，５２に十分な余裕があっても、前面パネル３を開放する際に、そのハーネス５０，５２の一部が回転表示手段４側に引っ掛かる等の惧れもなく、前面パネル３を容易に開放できる。
【００４２】
更に垂れ下がり防止カバー７４が回転表示手段４側にあり、前面パネル３を開放した場合にはハーネス５０，５２の裏側が開放状になるため、保守、点検等に際して垂れ下がり防止カバー７４がハーネス５０，５２の着脱に邪魔になるようなこともない。
【００４３】
また窓枠体３６の外側に垂れ下がり防止カバー７４があり、垂れ下がり防止カバー７４の内側に窓枠体３６の後部が侵入しているので、第２表示窓２０側からは垂れ下がり防止カバー７４が見難い位置にあり、この垂れ下がり防止カバー７４があるために第２表示窓２０内が見苦しくなるような問題もない。
【００４４】
図６及び図７は本発明の第２の実施例を例示し、窓枠体３６の上枠部５５と垂れ下がり防止カバー７４の突出部７３との隙間を大きくし、しかもその両者の上下の重合量を前後方向に大きくしたものである。このようにすれば、ハーネス５０，５２の垂れ下がり量が大きい場合でも、前面パネル３を閉じる際に、その垂れ下がり部分を垂れ下がり防止カバー７４の突出部７３によって第３発光装飾手段２３の下側へと押し込むことができる。また窓枠体３６の上枠部５５と垂れ下がり防止カバー７４の突出部７３との隙間が大きいので、その両者でハーネス５０，５２を咬み込むようなこともない。
【００４５】
図８は本発明の第３の実施例を例示し、窓枠体３６の後部側の内側近傍に垂れ下がり防止カバー７４の前部側、例えば突出部７３が侵入するようにしたものである。このようにしても、ハーネス５０，５２の垂れ下がりを防止できる。また窓枠体３６の後部側の内側に垂れ下がり防止カバー７４が入っているが、窓板３７が開口３５の内周側に不透明部３７ａを有すること、垂れ下がり防止カバー７４が回転リール１１の上部前側にあること等、見難い位置にあるため、第２表示窓２０内が見苦しくなるような問題もない。
【００４６】
図９は本発明の第４の実施例を例示し、窓枠体３６の後部側と垂れ下がり防止カバー７４の前部側とを前後に略対応させて配置したものである。この場合にも、ハーネス５０，５２の垂れ下がりを防止できる。
【００４７】
図１０は本発明の第５の実施例を例示する。垂れ下がり防止部材７０は、図１０に示すようにハーネス５０，５２の垂れ下がり部分を前側に押し込む押し込み部８０と、押し込み後のハーネス５０，５２を受ける受け部８１とを前後に備えたものでもよい。このようにすれば、ハーネス５０，５２の垂れ下がり量が大きいとき（実線）には押し込み部８０により、垂れ下がり量が小さいとき（２点鎖線）には受け部８１により夫々ハーネス５０，５２の垂れ下がりを防止することができる。
【００４８】
なお、押し込み部８０は窓枠体３６の上枠部５５と、その上側にある第３発光装飾手段２３その他の上側部材との中間にあれば十分であり、上枠部５５と上側部材との何れか一方に近付けて配置してもよい。
【００４９】
以上、本発明の各実施例について詳述したが、本発明は各実施例に限定されるものではなく、その趣旨を逸脱しない範囲で種々の変更が可能である。例えば、実施例では遊技図柄表示手段として、回転リール１１を備えた回転表示手段４を例示しているが、回転表示手段４以外の各種の表示手段の場合にも同様に実施することができる。
【００５０】
また実施例では前面パネル３側の第２表示窓２０に対応して回転表示手段４を筐体２側に設けているが、第１表示窓１９に対応して回転表示手段４又は遊技図柄表示手段を設ける場合にも同様に実施可能である。
【００５１】
垂れ下がり防止部材７０には、縦壁部７１と傾斜部７２とを縦断面くの字状に備えた垂れ下がり防止カバー７４を使用しているが、その垂れ下がり防止カバー７４は他の形状、構造でもよい。例えば、ハーネス５０，５２の垂れ下がり部分が下がり垂れ下がり防止部材７０から外れないようになっていれば十分であり、多孔板、網体等で構成することも可能であるし、左右方向の横桟を前後方向に複数個設けて構成することも可能である。
【００５２】
垂れ下がり防止部材７０、垂れ下がり防止カバー７４は、支持ケース１０側に固定できればよく、例えば支持ケース１０にネジ等で固定してもよいし、回転リール１１を支持する固定板５８にカバー等を介して固定してもよい。
【００５３】
表示窓２０の上側の電気的手段は発光表示手段以外のものでもよい。更に実施例では、遊技媒体としてメダルを使用するスロットマシンを例示しているが、メダル以外の遊技媒体を使用するものでもよい。またパチンコ機その他の弾球遊技機、又はスロットマシン、弾球遊技機以外の遊技機においても同様に実施することが可能である。
【符号の説明】
【００５４】
４  回転表示手段（遊技図柄表示手段）
２  筐体
３  前面パネル
２０  第２表示窓
１０  支持ケース
１１  回転リール（図柄表示部）
５０，５２  ハーネス（電気配線）
５８  固定板
７０  垂れ下がり防止部材
７２  傾斜部
７３  突出部
８０  押し込み部
８１  受け部
【図１】
2010094527.tif 000003
【図２】
2010094527.tif 000004
【図３】
2010094527.tif 000005
【図４】
2010094527.tif 000006
【図５】
2010094527.tif 000007
【図６】
2010094527.tif 000008
【図７】
2010094527.tif 000009
【図８】
2010094527.tif 000010
【図９】
2010094527.tif 000011
【図１０】
2010094527.tif 000012
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
遊技図柄を変動表示可能な遊技図柄表示手段を筐体に備え、前記筐体の前側に開閉自在に装着された前面パネルに、前記遊技図柄表示手段の表示を透視可能な表示窓と、該表示窓の上側に配置された上側部材とを備え、前記前面パネルの裏側に電気配線を設けた遊技機において、前記遊技図柄表示手段の前上側に、前記前面パネルを閉じるときに前記電気配線の垂れ下がりがあればその垂れ下がり部分を前記上側部材の裏側に押え付けて前記図柄表示部の前側への前記電気配線の垂れ下がりを防止する垂れ下がり防止部材を配置したことを特徴とする遊技機
【手続補正２】
【補正対象書類名】明細書
【補正対象項目名】０００８
【補正方法】変更
【補正の内容】
【０００８】
本発明は、遊技図柄を変動表示可能な遊技図柄表示手段を筐体に備え、前記筐体の前側に開閉自在に装着された前面パネルに、前記遊技図柄表示手段の表示を透視可能な表示窓と、該表示窓の上側に配置された上側部材とを備え、前記前面パネルの裏側に電気配線を設けた遊技機において、前記遊技図柄表示手段の前上側に、前記前面パネルを閉じるときに前記電気配線の垂れ下がりがあればその垂れ下がり部分を前記上側部材の裏側に押え付けて前記図柄表示部の前側への前記電気配線の垂れ下がりを防止する垂れ下がり防止部材を配置したものである。